(57)【要約】  【課題】  屋内を雑然とさせることなく多数の炭材を配置して屋内の環境をより一層良好にしながら、屋内の雰囲気作りのための明かりを得ることができる照明具を提供する。  【解決手段】  円筒状の竹炭１１を矩形枠状に組んでなる枠部１２ａ、１２ｂ、１２ｃ、…を順に上方へ重ね、竹炭１１を互いに接着剤で接着して本体部１３を構成する。一方、竹炭１５ａ、１５ｂを本体部１３の下方開放部を覆うように組み合わせるとともに、竹炭１５ｂの上側に２本の竹炭１５ｃを配置する。これら竹炭１５ａ、１５ｂ、１５ｃを接着剤で接着して底壁部１７を構成する。本体部１３と底壁部１７とを着脱可能に結合部材２５で結合する。電球５を支持する支持部材２７を枠体３の内部空間Ｒに配設する。電球５を囲むようにフレーム３３を形成する。フレーム３３に和紙からなる囲繞部３５を貼り付けて囲繞部材７を構成する。竹炭１１の間に電球５の灯光が外部から見えるように隙間２３を形成する。【選択図】      図１
2005197034.tif 000002
【特許請求の範囲】
【請求項１】
内部に空間を有するように多数の長尺状炭材を組み合わせて構成された枠体と、該枠体の内部空間に配設された照明灯とを備え、
上記枠材の隣り合う長尺状炭材の間には、上記照明灯の灯光が外部から見えるように隙間が設けられていることを特徴とする照明具。
【請求項２】
請求項１に記載の照明具において、
枠体内には照明灯を支持する支持部材が設けられていることを特徴とする照明具。
【請求項３】
請求項２に記載の照明具において、
枠体は、上下方向に分割された上側枠体と下側枠体とからなり、これら上側枠体と下側枠体とは着脱可能に結合され、
上記下側枠体には、支持部材が載置される載置部が設けられていることを特徴とする照明具。
【請求項４】
請求項１〜３のいずれか１つに記載の照明具において、
枠体の内部空間には、光を外部に透過させる囲繞部材が照明灯を囲むように設けられていることを特徴とする照明具。
【発明の詳細な説明】
【技術分野】
【０００１】
本発明は、屋内に設置する照明具に関する。
【背景技術】
【０００２】
従来より、木や竹の炭材は、空気を浄化する作用、吸湿作用、電磁波を遮る作用等の環境効果を有していることが知られており、このような炭材を利用した各種製品がある（例えば、特許文献１、２参照）。
【０００３】
上記特許文献１には、動物等を模した形状の屋内用置物の一部に炭材を嵌め込んだものや、円筒状の竹炭からなる炭材を花瓶等に加工したものが開示されている。また、上記特許文献２には、炭材が有する孔部に植物を差し込んで育成するものが開示されている。これら特許文献１、２のように炭材を加工して屋内用の装飾品とすることにより、屋内に炭材を違和感なく配置して屋内の環境を良好にすることができる。
【特許文献１】特開２００１−２７７７９７号公報（第２頁、第３頁、図１、図３、図５、図６）
【特許文献２】特開２００１−２７５４９２号公報（第２頁、図１、図２）
【発明の開示】
【発明が解決しようとする課題】
【０００４】
ところが、特許文献１、２のような装飾品は、多数の炭材が使用されていないため、上記環境効果が十分に期待できない。そこで、特許文献１、２のような装飾品を屋内に多数配置して環境効果が十分に得られるようにすることが考えられるが、これら特許文献のものは屋内に１つ又は２つくらい配置するのに適したデザインであるため、多数配置した場合には屋内が雑然としてしまう虞れがある。
【０００５】
ところで、一般に、屋内に設置される照明具には、目的や用途に応じて各種のものがあり、屋内を明るくするだけでなく、屋内の雰囲気作りのために明かりを得たいという要求もある。
【０００６】
本発明は斯かる諸点に鑑みてなされたものであり、その目的とするところは、屋内を雑然とさせることなく多数の炭材で構成して環境効果を得ながら、屋内の雰囲気作りのための明かりを得ることができる照明具を提供することにある。
【課題を解決するための手段】
【０００７】
上記目的を達成するために、本発明では、多数の長尺状炭材を用いて枠体を構成し、該枠体の内部空間に照明灯を配設し、該照明灯の灯光を長尺状炭材の隙間から見ることができるようにした。
【０００８】
具体的には、請求項１の発明では、内部に空間を有するように多数の長尺状炭材を組み合わせて構成された枠体と、該枠体の内部空間に配設された照明灯とを備え、上記枠材の隣り合う長尺状炭材の間には、上記照明灯の灯光が外部から見えるように隙間を設ける構成とする。
【０００９】
請求項２の発明では、請求項１において、枠体内には照明灯を支持する支持部材を設ける構成とする。
【００１０】
請求項３の発明では、請求項２において、枠体は、上下方向に分割された上側枠体と下側枠体とからなり、これら上側枠体と下側枠体とは着脱可能に結合され、上記下側枠体には、支持部材が載置される載置部を設ける構成とする。
【００１１】
請求項４の発明では、請求項１〜３のいずれか１つにおいて、枠体の内部空間には、光を外部に透過させる囲繞部材を照明灯を囲むように設ける構成とする。
【発明の効果】
【００１２】
請求項１の発明によれば、多数の長尺状炭材からなる枠体の内部に照明灯を配設することにより照明具を構成したので、この照明具を屋内に設置するだけで、屋内を雑然とさせることなく炭材による環境効果を十分に得ることが可能となって屋内の環境を一層良好にすることができる。さらに、照明灯を点灯させると、該照明灯の灯光を長尺状炭材の間の隙間から部分的に見ることが可能となるので、照明灯の全灯光を見る場合に比べて灯光量を減少させることができて、屋内の雰囲気作りのための明かりを得ることができる。
【００１３】
請求項２の発明によれば、枠体内に設けられた支持部材に照明灯を支持したので、支持部材の形状や配設位置により照明灯の配設位置を自由に設定することが可能となり、照明具のデザインを容易に多様化することができる。
【００１４】
請求項３の発明によれば、枠体を着脱可能な上側枠体と下側枠体とからなるものとし、下側枠体に支持部材の載置部を設けたので、例えば照明灯を交換する際には、上側枠体を下側枠体から取り去ることができて、照明灯の上方を広く開放することが可能となり、交換作業を容易に行うことができる。
【００１５】
請求項４の発明によれば、光を外部に透過させる囲繞部材により照明灯を囲んだので、照明灯の形状が枠体の外部から見えなくなって照明具の見栄えと屋内の雰囲気作りを良好にすることができる。
【発明を実施するための最良の形態】
【００１６】
以下、本発明の実施形態を図面に基づいて詳細に説明する。
【００１７】
《発明の実施形態１》
図１は、本発明の実施形態１に係る照明具１の分解斜視図であり、この照明具１は、炭材としての竹炭を多数用いて内部に空間Ｒを有するように構成された枠体３と、該枠体３の内部に配設される照明灯としての電球５と、該電球５を囲むように設けられた囲繞部材７とを備えている。
【００１８】
上記枠体３は、長尺状炭材としての円筒状竹炭１１を矩形枠状をなすように組み合わせてなる上側枠体としての本体部１３と、同様な竹炭１５ａ、１５ｂ、１５ｃを上記本体部１３の下方開放部を覆うように組み合わせてなる下側枠体としての底壁部１７とを備えている。尚、各図の符号２１は竹の節を示す。
【００１９】
枠体３の底壁部１７は、下層を構成する竹炭１５ａと上層を構成する竹炭１５ｂとが上下方向に重なる２つの層をなすように配置され、さらに上記上層を構成する竹炭１５ｂ上に２本の竹炭１５ｃ、１５ｃが配置されて構成されている。上記下層の竹炭１５ａは、同一水平面に沿って延びかつ互いに略平行に配置されていて、これら竹炭１５ａの間には、隙間１７ａが形成されている。一方、上記上層の竹炭１５ｂは、上記下層の竹炭１５ａが延びる方向と直交する方向で同一水平面に沿って延びるように配置されていて、これら竹炭１５ｂの間にも隙間１７ａが形成されている。上記下層の竹炭１５ａと上層の竹炭１５ｂとは、接着剤により接着されている。そして、上記竹炭１５ｃ、１５ｃは、竹炭１５ｂの両端部近傍上側に上方から見て竹炭１５ａに重合するように接着剤により接着（結合）されている。
【００２０】
枠体３の本体部１３は、４本の竹炭１１を矩形状に枠組んでなる多数の枠部１２ａ、１２ｂ、１２ｃ、…を順に上方へ重ねて構成されており、１段目の枠部１２ａが上記底壁部１７の竹炭１５ｃに接している。この１段目の枠部１２ａは、上記底壁部１７の下層の竹炭１５ｂと略同じ方向に延びる２本の竹炭１１ａを、下層における竹炭１５ｃの両端部にそれぞれ配置し、さらにそれら竹炭１１ａの長手方向両端部の上側に、上記底壁部１７の竹炭１５ｃ、１５ｃと略同じ方向に延びる２本の竹炭１１ｂがそれぞれ接着剤により接着されて構成されている。つまり、１段目の枠部１２ａの竹炭１１ａと竹炭１１ｂとは両端部近傍で互いに交差して結合されている。そして、１段目の枠部１２ａの竹炭１１ｂと２段目の枠部１２ｂの竹炭１１ａとが接着剤により接着されることにより各枠部１２ａ、１２ｂが結合され、この積み重ねにより枠体３の本体部１３が構成される。尚、各図においては４段目以上の枠部の符号を省略している。
【００２１】
このように本体部１３を構成する竹炭１１ａ、１１ｂを交差させて上下方向に重ねて配置することで、本体部１３の側面には、隣り合う竹炭１１の間に水平方向に長い形状を有する隙間２３が多数形成される。これら隙間２３を介して内部の電球５の灯光を外部から見ることが可能となる。
【００２２】
底壁部１７を構成する竹炭１５ｃと、１段目の枠部１２ａを構成する竹炭１１ａとは接着されておらず、１段目の枠部１２ａと底壁部１７とは、すなわち本体部１３と底壁部１７とは分離可能とされている。そして、図２にも示すように、底壁部１７を構成する竹炭１５ｃと１段目の枠部１２ａを構成する竹炭１１ｂとは、ヒモ等の結合部材２５を用いて着脱可能に結合されている。
【００２３】
上記電球５は、図３に示すように、略水平に延びる正方形の板材からなる支持部材２７中央部に着脱可能に支持されている。該支持部材２７は、枠体３の内形状よりも小さく形成され上記底壁部１７に載置されており、この底壁部１７の竹炭１５ｂが本発明の載置部を構成している。上記電球５は図外の電線により電源に接続されている。尚、上記電源は家庭用の電源、あるいは電池であってもよい。
【００２４】
上記枠体３の内部空間Ｒには、図１に示すように、上記電球５を囲む立方体形状に形成された囲繞部材７が配設される。この囲繞部材７は、図３に示すように、角材を、上記枠体３の内面に沿うようにかつ該枠体３の上方に突出しないように配置して互いに結合したフレーム３３を備えている。このフレーム３３は、上記支持部材２７が内側に配置可能なように該支持部材２７の外形に沿った形状に形成した下側フレーム３３ａと、該下側フレーム３３ａから鉛直上方に延びる鉛直フレーム３３ｂと、この鉛直フレーム３３ｂの上端部に結合され上記下側フレーム３３ａと同様に構成された上側フレーム３３ｃとを備えている。このように構成された立方体形状のフレーム３３の４つの側面には、図１に示すように、和紙からなる囲繞部３５が貼り付けられていて、フレーム３３の側面の開口が覆われている。すなわち、本発明の囲繞部材７は、上記フレーム３３と上記囲繞部３５とで構成されている。
【００２５】
したがって、この実施形態に係る照明具１によれば、多数の竹炭１１を枠組んで内部空間Ｒを有するように枠体３を構成し、上記内部空間Ｒに電球５を配設したので、この照明具１を屋内に設置することにより、屋内を雑然とさせることなく多数の竹炭１１を配置することが可能となり、竹炭１１の持つ環境効果を十分に得ることができて、屋内の環境を一層良好にすることができる。さらに、枠体３の本体部１３を構成する竹炭１１を交差させた状態で上下方向に重ねて隣り合う竹炭１１の間に多数の隙間２３を形成したので、電球５を点灯させると、該電球５の灯光を多数の隙間２３から部分的に見ることが可能となり、電球５の全灯光を見る場合に比べて灯光量を減少させることができて、屋内の雰囲気作りのための明かりを得ることができる。
【００２６】
また、枠体３を構成する竹炭１１、１５ａ、１５ｂ、１５ｃとは別体の支持部材２７により電球５を支持するようにしたので、支持部材２７の形状や配設位置を枠体３の形状に関わらず設定することができ、これにより、電球５の配設位置を自由に設定することができて、照明具１のデザインを容易に多様化することができる。
【００２７】
また、枠体３の本体部１３と底壁部１７とを結合部材２５により着脱可能に結合したので、例えば電球５を交換する際には、結合部材２５を外すだけで本体部１３を底壁部１７から取り去ることができ、これにより、枠体３の内部に深く手を差し込まなくてもよくなるので、電球５の交換作業を容易に行うことができる。さらに、この場合、囲繞部材７を外すこともできるので、電球５の交換作業をより容易にすることができる。
【００２８】
さらに、電球５の灯光を弱めて外部に透過する和紙からなる囲繞部３５で電球５を囲んだので、該電球５の形状が外部から見えなくなって照明具１の見栄えを良好にすることができるとともに、電球５の灯光を囲繞部３５を透過させることでぼやかすようにすることができて、雰囲気作りとしてよりふさわしい明かりを得ることができる。
【００２９】
尚、この実施形態では、枠体３の下側枠体を構成する底壁部１７は本体部１３の下方開放部の全体を覆うようにしたが、底壁部１７の中央部に開口を形成して上記下方開放部の一部を覆うようにしてもよい。すなわち、底壁部１７の下層の竹炭１５ａ及び上層の竹炭１５ｂのうち、該竹炭１５ａ、１５ｂが並ぶ方向の両端側に位置するものを数本ずつ残し中央側のものを省略する。そして、上記囲繞部材７を、上層の竹炭１５ｂ上に載置してこれを支持する。
【００３０】
また、この実施形態では、竹炭１１（１１ａ、１１ｂ）、１５ａ、１５ｂ、１５ｃは筒状の竹炭を用いて枠体３を構成しているが、これに限らず、縦割りにした竹炭を用いてもよいし、木炭材を用いてもよい。また、上記竹炭は接着剤を用いることなくヒモ等を結びつけて結合するようにしてもよい。
【００３１】
また、この実施形態では、枠体３を上側枠体と下側枠体とに分割したが、分割することなく一体としてもよい。
【００３２】
さらに、この実施形態では、枠体３の竹炭をその長手方向が略水平となるように配置しているが、多数の長尺状炭材を上下方向に延びるように向けた状態で、円形状、楕円形状等の環状に配置して枠体を形成し、隣り合う炭材の間に隙間を設けるようにしてもよい。この場合では、例えば環状のフレームを用意しておき、このフレームの外面に炭材の内面を接着剤で接着もしくはヒモ等で結合すればよい。
【００３３】
《発明の実施形態２》
図４は、本発明の実施形態２に係る照明具の枠体３を示すものであり、実施形態１と同じ部分には同じ符号を付して説明を省略し、実施形態１と異なる部分について説明する。
【００３４】
枠体３は、角柱状木材を炭材とした木炭材５１を立方体をなすように組み合わせて内部に空間Ｒを有するように構成された枠体フレーム５３を備えており、該枠体フレーム５３の側面には、縦割りにした長尺状の竹炭５５を格子状に配置してなる格子部５７が設けられている。これら竹炭５５も枠体３の構成部材である。
【００３５】
上記枠体フレーム５３は、４本の木炭材５１を水平面上で正方形をなすように配置して接着剤で互いに結合してなる下側フレーム５３ａと、この下側フレーム５３ａの４つの角部に結合されて略鉛直上方に延びる木炭材５１で構成された鉛直フレーム５３ｂとを備えている。また、枠体フレーム５３は、上記鉛直フレーム５３ｂの上端部に結合され上記下側フレーム５３ａと同様に木炭材５１で構成された上側フレーム５３ｃを備えている。
【００３６】
上記格子部５７は、側面視で下側フレーム５３ａの木炭材５１に対して傾斜して延びる多数の内側竹炭５５ａと、該内側竹炭５５ａの枠体フレーム５３外側に接し側面視で内側竹炭５５ａと逆方向に傾斜して延びる多数の外側竹炭５５ｂとから構成されている。内側竹炭５５ａは、互いに等しい間隔をあけて略平行に配置され、また、外側竹炭５５ｂも同様に配置されており、これら内側竹炭５５ａ及び外側竹炭５５ｂの間には略ひし形の隙間２３が多数形成されている。これら隙間２３を介して内部の電球５の灯光を外部から見ることが可能となる。そして、外側竹炭５５ｂは、その両端が上記枠体フレーム５３に接着剤により接着され、内側竹炭５５ａは、上記外側竹炭５５ｂの内側もしくは両端が上記枠体フレーム５３に接着剤で接着されている。
【００３７】
したがって、この実施形態に係る照明具１によれば、木炭材５１からなる枠体フレーム５３に多数の長尺状の竹炭５５を格子状に組み付けて枠体３を構成し、該枠体３の内部空間Ｒに電球５を配設したので、実施形態１と同様に、屋内の雑然とさせることなく環境を一層良好にすることができる。さらに、電球５を点灯させた状態では、竹炭５５（内側竹炭５５ａ、外側竹炭５５ｂ）の間の隙間２３から電球５の灯光を部分的に見ることが可能となり、屋内の雰囲気作りのための明かりを得ることができる。
【００３８】
尚、この実施形態では、竹炭５５を縦割りにしたものを用いたが筒状の竹炭であってもよく、また、竹炭に代えて木の炭材を用いてもよい。
【００３９】
また、枠体フレーム５３は木炭材５１に代えて竹炭材を用いて構成してもよい。
【００４０】
また、実施形態１、２では、照明灯として電球５を用いた場合について説明したが、照明灯は、例えば、油皿を用いた灯具、ろうそく、蛍光灯等であってもよい。
【００４１】
また、各実施形態では、電球５を囲む囲繞部材７の囲繞部３５に和紙を用いた場合について説明したが、該囲繞部３５は、例えば、灯光を外部に透過させるガラス、樹脂板、フィルム等で構成することも可能であり、また、囲繞部材は、フレーム３３を省き、電球５を囲む枠状に形成した囲繞部のみで構成して枠体３の内部に配置するようにしてもよい。
【００４２】
また、各実施形態では、平面視で枠体３が矩形である場合について説明したが、枠体は例えば三角形や五角形以上の多角形に形成してもよい。
【００４３】
また、各実施形態では、枠体３はその上方を開放した形状にしたが、該枠体３の上方開放口を開放または閉塞可能なように蓋部材を設けてもよい。この場合、蓋部材は、長尺状炭材で構成することが好ましい。また、上記蓋部材は、枠体３の上方開放口を開閉することなく常に閉塞するようにしてもよいが、この場合、照明灯の交換・補給のため、枠体３の下方が、照明灯より上方において開放するように構成する。
【産業上の利用可能性】
【００４４】
以上説明したように、本発明に係る照明具は、例えば屋内に設置するのに適している。
【図面の簡単な説明】
【００４５】
【図１】本発明の実施形態１に係る照明具の分解斜視図である。
【図２】実施形態１に係る照明具の側面図である。
【図３】フレーム、支持部材及び電球を示す斜視図である。
【図４】実施形態２に係る照明具の枠体を示す斜視図である。
【符号の説明】
【００４６】
３          枠体
５          電球（照明灯）
７          囲繞部材
１１ａ、１１ｂ、１５ａ、１５ｂ、１５ｃ      竹炭（炭材）
１３        本体部（上側枠体）
１７        底壁部（下側枠体）
２３        隙間
２７        支持部材
Ｒ          空間
【図１】
2005197034.tif 000003
【図２】
2005197034.tif 000004
【図３】
2005197034.tif 000005
【図４】
2005197034.tif 000006